(57)【要約】【課題】            １台の照明器具で狭角形照明器具と、広角形照明器具と、中角形照明器具の三種の用途を兼ねることができ、またソケットに装着してなる光源は傾斜することなく垂直に支持することができ、所望の配光を確実に得ることができる照明器具を得ることを課題とする。【解決手段】        下端にソケット１３を支持してなる棒状支持体１０に対し、下端にセード５を支持する筒型の照明器具本体１を上下動自在に構成してある。そして照明器具本体１の筒体の上面に突出して断面略半円形の支壁３を構成し、同支壁の略中央部の内側に縦長の凹溝４を形成し、さらに凹溝に対応して棒状支持体１０の外壁に凸部１１を形成し、同凹溝に凸部を掛合して構成してある。  また光軸に対して凹溝を中心とする断面略半円形の支壁３の左右の内壁は異なる大きさに構成してある。【選択図】          図１２
2010015768.tif 000002
【特許請求の範囲】
【請求項１】
下端にソケットを支持してなる棒状支持体に対し、下端にセードを支持する筒型の照明器具本体を上下動自在に構成してなる照明器具において、
前記、照明器具本体の筒体の上面に突出して断面略半円形の支壁を構成し、同支壁の略中央部の内側に縦長の凹溝を形成し、さらに凹溝に対応して棒状支持体の外壁に凸部を形成して同凹溝に凸部を掛合し、また光軸に対して凹溝を中心とする断面略半円形の支壁の左右の内壁は異なる大きさに構成し、棒状支持体に対しセードを支持する筒型の照明器具本体を締め付け具によりに支持し得るように構成したことを特徴とする照明器具。
【請求項２】
締付具は一端に掛止用の切欠きを形成し、他端にネジ止め空孔を形成し、同掛止用の切欠きを、支壁の内壁に異なる大きさに構成した断面略半円形の小さい方の支壁の外壁に形成した掛止部に掛合し、他端のネジ止め空孔に締付ネジを嵌入し、断面略半円形の大きい方の支壁の外壁に形成した締付部に締付け固定したことを特徴とする請求項１記載の照明器具。
【請求項３】
棒状支持体は断面略半円形の支壁に対して若干の隙間を有して構成したことを特徴とする請求項１及び請求項２記載の照明器具。
【請求項４】
断面略半円形の支壁の開口端は縦方向において、円弧より曲率を大きく構成したことを特徴とする請求項１乃至請求項３記載の照明器具。
【発明の詳細な説明】
【技術分野】
【０００１】
本発明は建物の天井面等に支持して使用する照明器具の改良に関する。
【背景技術】
【０００２】
従来、工場や体育館や商業施設等の比較的高天井に設置して使用する照明器具は、比較的狭い範囲を照明する狭角形照明器具、比較的広い範囲を照明する広角形照明器具、狭角形照明器具と広角形照明器具の中間を照明する中角形照明器具を準備し、用途に応じて設置することが実施されている。
また１台の照明器具で狭角形照明器具と広角形照明器具と中角形照明器具の三種を兼用する照明器具も実施されている。
【特許文献１】特開２００１−１１０２２５
【発明の開示】
【発明が解決しようとする課題】
【０００３】
しかし上記従来の照明器具は、狭角形照明器具と、広角形照明器具と、中角形照明器具の三種を兼用することができるが、構造が複雑で製造に手数を要する欠点がある。
またソケットを支持してなる照明器具本体に対して、セードを上下動して配光を可変する照明器具も実施されているが、照明器具本体に対してセードが小さい角度の範囲でも傾斜すると所望の配光を得られない欠点がある。
本発明は上記の点に鑑み発明したもので、構造が簡単で、且つ狭角形照明器具と、広角形照明器具と、中角形照明器具の三種を兼用することができ、しかも所望の配光を得ることができる照明器具を提供することを目的とする。
【課題を解決するための手段】
【０００４】
本発明は上記課題を解決するために次の構成とする。請求項１は、下端にソケットを支持してなる棒状支持体に対し、下端にセードを支持する筒型の照明器具本体を上下動自在に構成してなる照明器具に関する。
前記した照明器具本体の筒体の上面に突出して断面略半円形の支壁を構成し、同支壁の略中央部の内側に縦長の凹溝を形成し、さらに凹溝に対応して棒状支持体の外壁に凸部を形成して同凹溝に凸部を掛合して構成してある。
また光軸に対して凹溝を中心とする断面略半円形の支壁の左右の内壁は異なる大きさに構成し、棒状支持体に対しセードを支持する筒型の照明器具本体を締め付け具により支持し得るように構成してある。
請求項１記載の照明器具によると、比較的簡単な構造で、照明器具の配光を変えることができ、１台の照明器具で狭角形照明器具と、広角形照明器具と、中角形照明器具の三種を兼用することができる。
また縦長の突出部が凹溝に掛合するので、ソケットに装着してなる光源は傾斜することなく垂直に支持することができ、所望の配光を確実に得ることができる。
【０００５】
本発明に係る請求項２は、請求項１における照明器具において、締付具は一端に掛止用の切欠きを形成し、他端にネジ止め空孔を形成し、同掛止用の切欠きを、支壁の内壁に異なる大きさに構成した断面略半円形の小さい方の支壁の外壁に形成した掛止部に掛合し、他端のネジ止め空孔に締付ネジを嵌入し、断面略半円形の大きい支壁の外壁に形成した締付部に締付け固定してある。
請求項２に記載の照明器具によると、締付具を締付けることにより、棒状支持体の縦長の凸部は、支壁の凹溝に掛合すると共に、棒状支持体の外壁は、光軸に対して凹溝を中心とする断面略半円形の小さい支壁の内面に押し付けられて接合し、棒状支持体に照明器具本体は垂直に支持される。
【０００６】
本発明に係る請求項３は、請求項１と請求項２における照明器具において、棒状支持体は断面略半円形の支壁に対して若干の隙間を有して構成してある。
請求項３に記載の照明器具によると、断面略半円形の支壁に対して、棒状支持体の嵌入作業が容易となる。
【０００７】
本発明に係る請求項４は、請求項１乃至請求項３における照明器具において、断面略半円形の支壁の開口端は縦方向において、円弧より曲率を大きく構成してある。
請求項４に記載の照明器具によると、断面略半円形の支壁に対して、棒状支持体の嵌入作業が容易となる。
【発明の効果】
【０００８】
上記した本発明によると、１台の照明器具で、且つ簡単な構造で狭角形照明器具と、広角形照明器具と、中角形照明器具の三種の用途を兼ねることができ、またソケットに装着してなる光源は傾斜することなく垂直に支持することができ、所望の配光を確実に得ることができる照明器具を提供することができる。
【発明を実施するための最良の形態】
【０００９】
以下本発明の最良の形態を図１乃至図１４について説明する。
【実施例１】
【００１０】
図１は本発明に係る照明器具の正面図、図２は照明器具本体の正面図、図３は照明器具本体に棒状支持体を嵌入したときの断面図、図４は支壁と棒状支持体の関係を示す一部拡大断面図、図５は照明器具本体の平面図、図６は支壁を一体構成してなる照明器具本体の側面からの断面図、図７は照明器具本体の支壁の拡大断面図である。
図１乃至図７において、１は筒型の照明器具本体であって、周囲の筒体の外壁に多数の放熱孔２を有して構成してある。３は照明器具本体１の筒体の上面に突出して一体構成してなる断面略半円形の支壁であって、同支壁３の略中央部の内側に縦長の凹溝４を形成してある。また支壁３の凹溝４の左右は若干異なる大きさに構成してある。例えば図７に示すように、照明器具本体１の中心Ｃから凹溝４の図中左側の内壁の開口端までの寸法は、１．５ｍｍに構成し、照明器具本体１の中心Ｃから凹溝４の図中右側の内壁までの寸法は、１．８ｍｍの大きさに構成してある。図７において、２点鎖線は円弧を描く仮想線を示す。また断面略半円形の支壁の開口端は縦方向において、円弧より曲率を大きく構成してある。図１において、５は照明器具本体１の下端に固定してなるセードであって、例えば周囲の回転方向に多数の反射面を連接して構成してある。また同セードの縦方向は例えば１２段階の曲面を連接して一体構成してある。６は取付用のフランジである。
【００１１】
次に、図８は棒状支持体の斜視図、図９は図８の棒状支持体の断面図、図１０は図８の棒状支持体の正面図、図１１は棒状支持体の下面にソケットを固定したときの正面図である。図１２は棒状支持体に照明器具本体１を嵌入支持したときの斜視図である。図８乃至図１２において、１０は棒状支持体であって、下端にセード５を支持してなる筒型の照明器具本体を上下動するように構成してある。また棒状支持体１０は断面略半円形の支壁３に対して若干の隙間を有して構成してある。棒状支持体１０は断面略半円形の支壁３に対して若干の隙間を有して構成すると、棒状支持体１０の嵌入作業が容易となる。１１は棒状支持体１０の外壁に一体構成した縦長の凸部であって、支壁３の凹溝４に対応して構成し、凹溝４に凸部１１が掛合して、下端にセード５を支持してなる筒型の照明器具本体が所定の箇所で上下動するように構成してある。また凸部１１の横幅は例えば２．５ｍｍの大きさに構成し、凹溝４との間で０．８ｍｍ程度の間隔有して構成してある。１２は棒状支持体１０の下端に設けたソケット支持板であって、同ソケット支持板１２の下面にはランプ１４を装着するソケット１３が固定される。ランプは例えば４００ワットの高圧放電ランプを装着して使用する。
【００１２】
図１３は締付具の正面図、図１４は締付具の平面図である。図１３と図１４において、２０は締付具であって、例えば鋼板を用いて構成し、若干弾性を有して構成してある。
同締付具２０は一端に形成した掛止用の切欠き２１を形成し、他端にネジ止め空孔２２を形成してある。２３は締付具２０の長手方向の中央一部に一体構成してなる補強凸部である。
そして同掛止用の切欠き２１を、支壁の内壁に異なる大きさに構成した断面略半円形の小さい方の支壁の外壁に形成した掛止部に掛合し、他端のネジ止め空孔２２に締付ネジ２５を嵌入し、断面略半円形の大きい支壁の外壁に形成した締付部に締付け固定してある。同構造によると図４に示すように、締付具２０を締付けることにより、棒状支持体１０の縦長の凸部１１は、支壁３の凹溝４に掛合すると共に、棒状支持体１０の外壁は、光軸に対して凹溝４を中心とする断面略半円形の小さい支壁の内面に押し付けられて接合し、棒状支持体に照明器具本体は垂直に支持される。
【００１３】
また図１０に示す棒状支持体１０の縦面には、例えばＡ〜Ｈの英文字が表示されている。そして上記した締付具２０の上端を棒状支持体１０の文字の下端に表示されている横線の高さに合わせて位置決めし、例えばＡの位置に設定すると、狭角形の配光をえることができ、Ｅ位置に設定すると、中角形の配光をえることができ、Ｈの位置に設定すると、広角形の配光をえることができるように設定してある。
【００１４】
次に棒状支持体に対してセードを支持してなる筒型の照明器具本体を上下動し、狭角形照明器具と、広角形照明器具と、中角形照明器具の三種の所望の配光を得る手順について説明する。
（１）棒状支持体１０に対してセード５を支持してなる筒型の照明器具本体１を上下動するには、片方の手で締め付けネジ２５を若干緩めると共に他方の手でセード５を支持してなる筒型の照明器具本体１を把持し、棒状支持体１０の所定の英文字Ａ〜Ｈを選択して、セード５を支持してなる筒型の照明器具本体１を移動する。
（２）かかる後、締め付けネジ２５を締め付け、セード５を支持してなる筒型の照明器具本体１を所定の高さに固定することにより所望の配光を得ることができる。
【００１５】
ここで締付具２０の締め付けネジを締め付けていくと、棒状支持体の縦長の凸部１１は、支壁３の凹溝４に掛合すると共に、棒状支持体１０の外壁は、光軸に対して凹溝４を中心とする断面略半円形の小さい支壁の内面に押し付けられて接合し、棒状支持体に照明器具本体は垂直に支持される。
また断面略半円形の支壁の開口端は縦方向において、円弧より若干開いて構成し、また棒状支持体１０は断面略半円形の支壁３に対して若干の隙間を有して構成してあるので、棒状支持体１０の嵌入支持作業が容易となる。
【図面の簡単な説明】
【００１６】
【図１】本発明に係る照明器具の正面図
【図２】図１に示す照明器具本体の正面図
【図３】照明器具本体に棒状支持体を嵌入したときの断面図
【図４】支壁と棒状支持体の関係を示す一部拡大断面図
【図５】照明器具本体の平面図
【図６】支壁を一体構成してなる照明器具本体の側面からの断面図
【図７】照明器具本体の支壁の拡大断面図
【図８】棒状支持体の斜視図
【図９】図８の棒状支持体の平面図
【図１０】図７の棒状支持体の正面図
【図１１】棒状支持体の下面にソケットを固定したときの正面図
【図１２】棒状支持体に照明器具本体を嵌入支持したときの斜視図
【図１３】図１３は締付具の正面図
【図１４】図１４は締付具の平面図
【符号の説明】
【００１７】
１  照明器具本体
２  放熱孔
３  支壁
４  凹溝
５  セード
６  フランジ
１０  棒状支持体
１１  凸部
１２  ソケット支持板
１３  ソケット
２０  締付具
２１  切欠き
２２  空孔
２３  補強凸部
【図１】
2010015768.tif 000003
【図２】
2010015768.tif 000004
【図３】
2010015768.tif 000005
【図４】
2010015768.tif 000006
【図５】
2010015768.tif 000007
【図６】
2010015768.tif 000008
【図７】
2010015768.tif 000009
【図８】
2010015768.tif 000010
【図９】
2010015768.tif 000011
【図１０】
2010015768.tif 000012
【図１１】
2010015768.tif 000013
【図１２】
2010015768.tif 000014
【図１３】
2010015768.tif 000015
【図１４】
2010015768.tif 000016